(57)【要約】【課題】車両のコンソールボックスに設けるテーブル装置について、載置面を広く確保するとともに、小さい奥行きで収納する。【解決手段】第１のテーブル本体21と第２のテーブル本体22とを備える。シャフト25にて屈曲可能に連結する。第１のテーブル本体21のスライド軸68を、収納部34の第１の案内部51で案内する。第１のテーブル本体21と第２のテーブル本体22とを重ね合わせた状態で、収納部34に垂直状に収納する。収納した状態で、第２のテーブル本体22の案内受部77を収納部34の第２の案内部52で案内する。第１のテーブル本体21と第２のテーブル本体22を引き出して水平に伸ばした状態で、ロック機構24により第２のテーブル本体22をコンソールボックスのテーブル支持部に係合保持し、載置面61を平面状に保持する。【選択図】図１
2008132956.tif 000002
【特許請求の範囲】
【請求項１】
第１の面方向に沿った載置面を構成し、被設置部に前記第１の面方向と交差する第２の面方向に沿って収納可能に配置されるテーブルを備えたテーブル装置であって、
基端部にスライド軸を備えた第１のテーブル本体と、
この第１のテーブル本体の先端部に回動可能に連結された第２のテーブル本体と、
前記第１のテーブル本体と前記第２のテーブル本体とを収納する収納部、及び前記スライド軸を前記第２の面方向に沿って摺動可能かつ回動可能に案内する第１の案内部を備え、前記被設置部に配置される収納体とを具備し、
前記第１のテーブル本体及び前記第２のテーブル本体は、
これら第１のテーブル本体及び第２のテーブル本体を前記第１の面方向に沿って開いた展開状態で、これら第１のテーブル本体及び第２のテーブル本体にまたがる載置面が形成され、
これら第１のテーブル本体及び第２のテーブル本体を前記第２の面方向に沿って重ねた重合状態で収納部に収納される
ことを特徴とするテーブル装置。
【請求項２】
第２のテーブル本体は、被設置部に係脱可能に保持するロック機構を備えた
ことを特徴とする請求項１記載のテーブル装置。
【請求項３】
第１の案内部は、一端部に、スライド軸を回動可能な状態で係脱可能に保持する回動保持部を備えた
ことを特徴とする請求項１または２記載のテーブル装置。
【請求項４】
第２のテーブル本体は、案内受部を備え、
収納体は、前記案内受部を一端部から解放可能に前記第２の面方向に沿って案内する第２の案内部を備えた
ことを特徴とする請求項１ないし３いずれか一記載のテーブル装置。
【請求項５】
第１のテーブル本体と前記第２のテーブル本体とを回動可能に連結するヒンジ機構を備え、
このヒンジ機構は、
互いに端面同士が回動可能に突き合わされて連結される第１の軸部と第２の軸部とを備え、
これら第１の軸部及び第２の軸部の少なくとも一方には、前記軸方向に沿って前記端面から突設された係合突部が形成され、
前記第１の軸部及び第２の軸部の少なくとも他方には、前記軸方向に沿って前記端面より凹設されて前記係合突部に係脱可能に係合される係合受部が形成され、
これら係合突部及び係合受部のすくなとも一方は、前記軸方向に沿って弾性的に変位可能に設けられた
ことを特徴とする請求項１ないし４いずれか一記載のテーブル装置。
【請求項６】
シャフトを備え、
第１の軸部は、第１のテーブル本体を構成する部材と一体に合成樹脂にて軸孔を有する円筒状に形成され、
第２の軸部は、第２のテーブル本体を構成する部材と一体に合成樹脂にて軸孔を有する円筒状に形成され、
これら第１の軸部及び第２の軸部は、前記各軸孔を挿通する前記シャフトにより回動可能に連結され、
係合突部は、この係合突部の近傍に形成された空間部により前記軸部の一部を弾性的に変形可能として変位可能に設けられ、
係合受部は、前記軸孔の周囲の複数位置に設けられた
ことを特徴とする請求項５記載のテーブル装置。
【請求項７】
車両に備えられ、被設置部を構成するコンソールボックス本体と、
第１の面方向を水平方向とし、第２の面方向を垂直方向として、前記被設置部に設置される請求項１ないし６いずれか一記載のテーブル装置と
を具備することを特徴とするコンソールボックス。
【発明の詳細な説明】
【技術分野】
【０００１】
本発明は、例えば、自動車のコンソールボックスに備えられる収納式のテーブル装置及びコンソールボックスに関する。
【背景技術】
【０００２】
従来、自動車のコンソールボックスに備えられ、収納した状態から必要に応じて引き出すなどして用いられるテーブル装置が知られている。例えば、コンソールボックスに設けられた収納部と、この収納部に設けられた固定レールと、この固定レールに沿って移動する可動レールと、この可動レールに連結されたテーブルとを備えた構成が知られている。そして、この構成では、収納時には、テーブルを垂直にした状態で、可動レールとともに収納部に収納する。一方、使用時には、可動レールとともにテーブルを上側に引き出した後、テーブルを水平に回動させて使用する(例えば、特許文献１参照。)。しかしながら、この構成では、テーブルの一辺の寸法と同じ深さ寸法の収納部が必要になり、テーブルの寸法を大きくするためには、収納部の深さ寸法を大きくする必要がある。
【０００３】
また、例えば、コンソールボックスに備えられるテーブルについて、天板を前後左右に４分割して、互いにヒンジで連結した構成が知られている(例えば、特許文献２参照。)。この構成では、天板が水平な状態で収納されるため、収納時にも大きな面積を専有する問題を有している。
【特許文献１】特開平９−１１８１６６号公報  （図１、図５、図９）
【特許文献２】特開２００２−１９３０４３号公報  （図１−図３）
【発明の開示】
【発明が解決しようとする課題】
【０００４】
上記従来のように、テーブルを垂直状に収納する構成では、収納部の深さ寸法が大きくなる問題を有している。また、天板を水平な状態で収納する構成では、収納時にも大きな面積を専有する問題を有している。
【０００５】
本発明は、このような点に鑑みなされたもので、収納時には小さく収納できるとともに、使用時には広く使用できるテーブル装置及びコンソールボックスを提供することを目的とする。
【課題を解決するための手段】
【０００６】
請求項１記載のテーブル装置は、第１の面方向に沿った載置面を構成し、被設置部に前記第１の面方向と交差する第２の面方向に沿って収納可能に配置されるテーブルを備えたテーブル装置であって、基端部にスライド軸を備えた第１のテーブル本体と、この第１のテーブル本体の先端部に回動可能に連結された第２のテーブル本体と、前記第１のテーブル本体と前記第２のテーブル本体とを収納する収納部、及び前記スライド軸を前記第２の面方向に沿って摺動可能かつ回動可能に案内する第１の案内部を備え、前記被設置部に配置される収納体とを具備し、前記第１のテーブル本体及び前記第２のテーブル本体は、これら第１のテーブル本体及び第２のテーブル本体を前記第１の面方向に沿って開いた展開状態で、これら第１のテーブル本体及び第２のテーブル本体にまたがる載置面が形成され、これら第１のテーブル本体及び第２のテーブル本体を前記第２の面方向に沿って重ねた重合状態で収納部に収納されるものである。
【０００７】
そして、この構成では、第１のテーブル本体及び第２のテーブル本体を第１の面方向に沿って開いた展開状態で、これら第１のテーブル本体及び第２のテーブル本体にまたがる載置面が形成され、第１のテーブル本体及び第２のテーブル本体を第２の面方向に沿って重ねた重合状態で収納部に収納されるため、テーブルの使用時には載置面が広く確保されるとともに、載置面の方向と交差する方向に沿って、小さい奥行きで収納される。
【０００８】
請求項２記載のテーブル装置は、請求項１記載のテーブル装置において、第２のテーブル本体は、被設置部に係脱可能に保持するロック機構を備えたものである。
【０００９】
そして、この構成では、第１のテーブル本体及び第２のテーブル本体を被設置部に沿って広げて載置面を形成した状態で、ロック機構により第２のテーブル本体を被設置部に保持させることにより、載置面の形状が安定する。
【００１０】
請求項３記載のテーブル装置は、請求項１または２記載のテーブル装置において、第１の案内部は、一端部に、スライド軸を回動可能な状態で係脱可能に保持する回動保持部を備えたものである。
【００１１】
そして、この構成では、第１のテーブル本体を収納部から引き出した状態で、スライド軸を回動保持部に係合して保持させることにより、第１のテーブル本体及び第２のテーブル本体を第１の面方向に沿って開いた展開状態と、第１のテーブル本体及び第２のテーブル本体を第２の面方向に沿って重ねた重合状態との間の移行の操作が容易かつ円滑になる。
【００１２】
請求項４記載のテーブル装置は、請求項１ないし３いずれか一記載のテーブル装置において、第２のテーブル本体は、案内受部を備え、収納体は、前記案内受部を一端部から解放可能に前記第２の面方向に沿って案内する第２の案内部を備えたものである。
【００１３】
そして、この構成では、収納部内では、第１のテーブル本体が第１の案内部に案内されるとともに、第２のテーブル本体が第２の案内部に案内され、展開状態と重合状態との間の移行の操作が容易かつ円滑になる。
【００１４】
請求項５記載のテーブル装置は、請求項１ないし４いずれか一記載のテーブル装置において、第１のテーブル本体と前記第２のテーブル本体とを回動可能に連結するヒンジ機構を備え、このヒンジ機構は、互いに端面同士が回動可能に突き合わされて連結される第１の軸部と第２の軸部とを備え、これら第１の軸部及び第２の軸部の少なくとも一方には、前記軸方向に沿って前記端面から突設された係合突部が形成され、前記第１の軸部及び第２の軸部の少なくとも他方には、前記軸方向に沿って前記端面より凹設されて前記係合突部に係脱可能に係合される係合受部が形成され、これら係合突部及び係合受部のすくなとも一方は、前記軸方向に沿って弾性的に変位可能に設けられたものである。
【００１５】
そして、この構成では、第１のテーブル本体と第２のテーブル本体とを相対的に回動し、係合突部が係合受部に係合した状態で節度感が付与され、第１のテーブル本体と第２のテーブル本体とが位置決めされ、第１のテーブル本体と第２のテーブル本体とを開いた状態あるいは閉じた状態など設定した位置で保持することが可能になり開閉操作時の操作性が向上する。また、第１のテーブル本体と第２のテーブル本体とを相対的に回動する過程においても、係合突部が係合受部に圧接し、第１のテーブル本体側の部材と第２のテーブル本体側の部材とのがたつきを抑制して操作感が向上する。係合突部及び係合受部は、それぞれヒンジ機構を構成する軸部が互いに突き合わされる端面に設けたため、構造を簡略化して製造コストが低減されるとともに、これら係合突部及び係合受部が外部に露出せずに外観が向上する。
【００１６】
請求項６記載のテーブル装置は、請求項５記載のテーブル装置において、シャフトを備え、第１の軸部は、第１のテーブル本体を構成する部材と一体に合成樹脂にて軸孔を有する円筒状に形成され、第２の軸部は、第２のテーブル本体を構成する部材と一体に合成樹脂にて軸孔を有する円筒状に形成され、これら第１の軸部及び第２の軸部は、前記各軸孔を挿通する前記シャフトにより回動可能に連結され、係合突部は、この係合突部の近傍に形成された空間部により前記軸部の一部を弾性的に変形可能として変位可能に設けられ、係合受部は、前記軸孔の周囲の複数位置に設けられたものである。
【００１７】
そして、この構成では、第１のテーブル本体と第２のテーブル本体とを相対的に回動し、係合突部が係合受部に係合した状態で節度感が付与され、第１のテーブル本体と第２のテーブル本体とが位置決めされ、第１のテーブル本体と第２のテーブル本体とを開いた状態及び閉じた状態など設定した複数の位置で保持する構成が容易に実現される。
【００１８】
請求項７記載のコンソールボックスは、車両に備えられ、被設置部を構成するコンソールボックス本体と、第１の面方向を水平方向とし、第２の面方向を垂直方向として、前記被設置部に設置される請求項１ないし６いずれか一記載のテーブル装置とを具備するものである。
【００１９】
そして、この構成では、収納時には、コンソールボックスの領域で大きな面積を占有することなく、使用時には、載置面が広く確保されるテーブル装置が実現される。
【発明の効果】
【００２０】
本発明によれば、第１のテーブル本体及び第２のテーブル本体を第１の面方向に沿って開いた展開状態で、これら第１のテーブル本体及び第２のテーブル本体にまたがる載置面が形成され、第１のテーブル本体及び第２のテーブル本体を第２の面方向に沿って重ねた重合状態で収納部に収納されるため、載置面を広く確保できるとともに、載置面の方向と交差する方向に沿って、小さい奥行きで収納できる。
【発明を実施するための最良の形態】
【００２１】
以下、本発明のテーブル装置及びコンソールボックスの一実施の形態を図面を参照して説明する。
【００２２】
図２ないし図９において、10はコンソールボックスで、このコンソールボックス10は、図示しない車両の内装部材であり、この車両の座席の側方、例えば運転席と助手席との間に位置して配置されるいわゆるセンターコンソールを構成している。なお、以下、前後方向、上下方向、及び両側方向などの方向は、車両の直進状態を基準として説明する。また、第１の面方向は、水平面とし、第２の面方向は、第１の面方向に直交し両側方向に延びる垂直面とする。
【００２３】
そして、このコンソールボックス10は、合成樹脂などにて形成された被設置部としてのコンソールボックス本体11を備え、このコンソールボックス本体11の前後方向の中央部に、上側を開口したコンソールボックス収納部12が形成され、図５に示す蓋体であるコンソールリッド13により開閉可能になっている。また、このコンソールボックス収納部12の前方には、前席用のカップホルダ14が形成され、コンソールボックス収納部12の後方には、後席用のカップホルダ15が形成されている。
【００２４】
さらに、コンソールボックス収納部12と前席用のカップホルダ14との間には、収納体収容部16が形成され、前席用のカップホルダ14の周辺部には、テーブル支持部17が形成されているとともに、コンソールボックス本体11の前端部には、ロック受部18が形成されている。
【００２５】
そして、このコンソールボックス本体11に、テーブル装置20が取り付けられている。このテーブル装置20は、第１のテーブル本体21、第２のテーブル本体22、収納体23、ロック機構24、及びヒンジ機構の回転軸を構成するピンであるシャフト25及びＥリング26などを備えている。
【００２６】
そして、収納体23は、収納体本体31と、この収納体本体31の両側部に取り付けられる一対のブラケット32，33とを備え、内側が収納部34となっている。そして、収納体本体31は、ポケットとも呼ばれるもので、前側に位置する前壁部35、後側に位置する後壁部36、両側の側壁部37，37、及び底板部38を備え、両側方向の寸法及び上下方向の寸法に対して前後方向の寸法が小さい薄箱状に形成されている。また、この収納体本体31は、上側を開口部40とするとともに、この開口部40を囲み外周側に向かうフランジ部41が形成され、さらに、このフランジ部41には、円孔状の取付部41aが複数形成されている。また、前壁部35は、後壁部36及び両側の側壁部37，37よりも高さ寸法が小さく形成され、フランジ部41は段部をなしている。さらに、各側壁部37には、それぞれ四角状のブラケット取付孔43が形成されているとともに、これらブラケット取付孔43を囲み、円筒状をなす取付ボス44が複数外側に突設されている。
【００２７】
また、収納体23の一対のブラケット32，33は、互いに対称形状に形成され、図１、図１０及び図１１などに示すように、それぞれ案内板部46と、この案内板部46の外側に位置する取付板部47とを備えている。そして、取付板部47に形成された円孔状の取付孔47aに、図示しない固定具であるビスを挿入し、収納体本体31の取付ボス44に螺合することにより、案内板部46がブラケット取付孔43を覆う状態で、収納体本体31に各ブラケット32が取り付けられている。そして、案内板部46には、上下方向に延びる第１の案内部51と、この第１の案内部51の前方に位置し、第１の案内部51と平行に上下方向に延びる第２の案内部52とを備えている。そして、第１の案内部51は、案内板部46の内面から外側に断面四角状に凹設された規制溝であり、この第１の案内部51の内部には、長手方向に沿って、断面円弧状をなして突設する摺接リブ54が形成されている。また、この第１の案内部51の上下の端部は、円弧状に形成されているとともに、これら上下の端部の近傍には、両側面から第１の案内部51の内側に突出する凸形状55が形成され、第１の案内部51の上端部に、回動保持部56が形成され、第１の案内部51の下端部に、係合保持部57が形成されている。
【００２８】
そして、このように構成された収納体23は、図４及び図９などに示すように、コンソールボックス収納部12に配置され、下側からフランジ部41の取付部41aに挿入された固定具であるビス58により、コンソールボックス本体11に固定されている。
【００２９】
また、第２のテーブル本体22及び第１のテーブル本体21は、シャフト25及びＥリング26を用いて、前後に回動可能連結され、図７及び図１２などに示すように、これら第１及び第２のテーブル本体21，22を水平面上に開いた展開状態と、図４などに示すように、これら第１及び第２のテーブル本体21，22を折り重ねて垂直状とした重合状態とを採り得るテーブルを構成している。そして、テーブルの展開状態では、上面に、これら第１及び第２のテーブル本体21，22にまたがり外周に縁段部61aを設けた載置面61が形成される。一方、テーブルの重合状態では、第１及び第２のテーブル本体21，22同士が突き合わされ、展開状態での前後方向の長さ寸法に対し、約半分の高さ寸法となる。
【００３０】
そして、第１のテーブル本体21は、図１、図１２ないし図１５などに示すように、第１上板部63と、この第１上板部63の下面側に組み合わせられる第１下板部64とを嵌合して構成されている。そして、この第１のテーブル本体21には、上面に、載置面61の後側部及び縁段部61aの後側部が形成されている。さらに、この第１のテーブル本体21には、後端部の両側に位置し、それぞれ両側方向を軸方向として、側面から外側に円筒状のスライド軸68が突設されている。また、第１のテーブル本体21には、前端部の下部の両側に位置して、若干前側に突出した状態で、ヒンジ機構の軸受部を構成する円筒状をなす第１の回動連結部70が形成されている。これら第１の回動連結部70には、それぞれ両側方向を軸方向として、軸受け孔70aが形成されている。
【００３１】
一方、第２のテーブル本体22は、図１、図１２ないし図１６などに示すように、第２上板部73と、この第２上板部73の下面側に組み合わせられる第２下板部74とを嵌合して構成されている。そして、この第２のテーブル本体22には、上面に、載置面61の前側部及び縁段部61aの前側部が形成されている。さらに、この第２のテーブル本体22には、両側に位置し、それぞれ長手方向に沿って、側面から外側に案内受部77が突設されている。各案内受部77は、互いに平行な２条の突条77aを備えるとともに、これら突条77aの後端部は連設部77bで連結され、側方及び前方に開口する溝部が構成されている。また、図１７に示すように、第２のテーブル本体22には、後端部の下部の両側端より若干内側に位置し、かつ、若干後側に突出した状態で、円筒状をなす第２の回動連結部80が形成されている。これら第２の回動連結部80には、それぞれ両側方向を軸方向として、軸受け孔80aが形成されている。また、第２のテーブル本体22の後端部の幅方向の中央部には、第２の回動連結部80と同軸状をなし、円弧状をなすガイド面部81が形成されている。
【００３２】
そして、第２のテーブル本体22と第１のテーブル本体21とを前後に組み合わせた状態で、図１７に示すように、両側の第１の回動連結部70の内側にそれぞれ第２の回動連結部80が同軸に嵌合する。この状態で、外側から軸受け孔70a，80aを貫通してシャフト25を挿入し、このシャフト25の先端部近傍に設けた溝部にＥリング26を係合して抜け止めすることにより、第２のテーブル本体22と第１のテーブル本体21とが互いに回動可能に連結されている。
【００３３】
さらに、この第２のテーブル本体22の前側の下部には、ロック機構24が取り付けられている。このロック機構24は、図７、図１３、図１５、及び図１８などに示されるように、ロック部筐体84と、このロック部筐体84に組み込まれた操作体85、作用体86、及びリンク87を備えている。そして、ロック部筐体84は、上面を開口とする箱状で、上面の４カ所に、第２のテーブル本体22に弾性的に係合して取り付けられる係合爪88が一体に形成されている。また、操作体85は、ロック部筐体84の前側に突出する操作部85aと、両側方向を軸方向とする回動軸85bとを備えている。また、作用体86は、ロック部筐体84の後側に突出する作用部86aと、両側方向を軸方向とする回動軸86bとを備えている。そして、これら操作体85と作用体86とは、回動軸85b，86bとは異なる位置に設けたリンク軸部において、それぞれリンク87に接続されている。そして、これら操作体85、作用体86、及びリンク87を組み込んだロック部筐体84を、第２のテーブル本体22の下面の所定位置に組み込むと、第２のテーブル本体22とロック部筐体84とに挟持された状態で、各回動軸85b，86bが回動可能にされる。そこで、この状態で、操作体85の操作部85aを上下に回動操作すると、この操作力がリンク87を介して作用体86に伝わり、作用部86aを進退させるようになっている。
【００３４】
そして、このように構成され互いに連結された第１のテーブル本体21及び第２のテーブル本体22は、第１のテーブル本体21の両側のスライド軸68を、それぞれ第１の案内部51に挿入して、収納部34に連結され、テーブル装置20が構成されている。
【００３５】
そして、このテーブル装置20をコンソールボックス本体11に組み合わせることにより、テーブル機能を備えたコンソール、いわばコンソール収納式テーブルが構成されている。
【００３６】
次に、このテーブル装置20の展開動作及び収納動作を説明する。
【００３７】
まず、テーブル装置20を収納した状態では、図２、図４、図８、図９に示すように、第１及び第２のテーブル本体21，22は折り重ねられた重合状態で、垂直状に収納部34に収納されている。この状態で、第１のテーブル本体21の両側のスライド軸68は、第１の案内部51の下端部の係合保持部57に係合され、位置決めされている。さらに、第２のテーブル本体22の両側の案内受部77は、突条である第２の案内部52を２条の突条77a間に挟むように係合し、テーブル装置20の第１及び第２のテーブル本体21，22ががたつくことなく安定して収納されている。
【００３８】
次いで、使用者がテーブル装置20を使用する際は、上部を把持して、第１及び第２のテーブル本体21，22を上側に引き上げる。すると、各スライド軸68は、係合保持部57を外れ、第１の案内部51に沿って上昇する。この引き上げる動作の際は、第２のテーブル本体22の両側の案内受部77は、第２の案内部52に係合して案内され、テーブル装置20の第１及び第２のテーブル本体21，22ががたつくことなく安定して移動する。
【００３９】
そして、第１及び第２のテーブル本体21，22が上昇限まで移動すると、図５に実線で示し、また図８に２点鎖線で示すように、各スライド軸68が第１の案内部51の上端部の回動保持部56に係合保持されると同時に、各案内受部77が第２の案内部52から上方に外れる。
【００４０】
そこで、図６に示すように、第２のテーブル本体22を前側に引き出し、図７に示すように、コンソールボックス本体11のテーブル支持部17上に載置するとともに、ロック機構24の操作体85の操作部85aを操作し、作用体86の作用部86aをコンソールボックス本体11のロック受部18に係合保持する。この状態で、第１及び第２のテーブル本体21，22がコンソールボックス本体11のテーブル支持部17上に安定して支持され、前後方向に長い平面状の載置面61が構成される。
【００４１】
一方、第１及び第２のテーブル本体21，22を収納する際は、ロック機構24の操作体85の操作部85aを操作し、作用体86の作用部86aをコンソールボックス本体11のロック受部18から外した状態で、上記の工程と逆の工程を行い、円滑に収納できる。
【００４２】
このように、本実施の形態によれば、第１のテーブル本体21及び第２のテーブル本体22を水平方向に沿って開いたテーブルの展開状態で、これら第１のテーブル本体21及び第２のテーブル本体22にまたがる載置面61を形成できるとともに、第１のテーブル本体21及び第２のテーブル本体22を垂直方向に沿って重ねた重合状態で収納部34に収納できるため、載置面61を広く確保できるとともに、垂直方向に沿って、小さい奥行きで収納できる。すなわち、いわば２つ折りの折り畳みテーブルとすることで、収納時に要する深さ寸法の倍の長さの載置面61を備えるテーブルを構成でき、収納部34の高さ寸法を抑制できる。
【００４３】
そして、収納時には、垂直状に配置されるため、外部から見える面積は小さく、コンソールの空間を有効に利用できるとともに、意匠を容易に向上できる。
【００４４】
また、収納部34に収納した状態、及び収納部34への出し入れの際は、第１のテーブル本体21のスライド軸68が第１の案内部51に案内されるのみならず、第２のテーブル本体22の案内受部77が第２の案内部52に案内されるため、がたつきを防止し、操作感の向上や異音の発生を抑制できる。
【００４５】
さらに、第１及び第２のテーブル本体21，22を上昇限まで引き出した状態で、各スライド軸68が第１の案内部51の上端部の回動保持部56に回動可能に係合保持されるため、第２のテーブル本体22を前側に引き出す動作を容易にすることができる。
【００４６】
また、展開時には、第２のテーブル本体22に設けたロック機構24が内装材であるコンソールボックス本体11に係合して、平面状の載置面61を安定して構成できる。
【００４７】
また、第１及び第２のテーブル本体21，22などを組み合わせて構成されるテーブルは、小さい空間に垂直状に収納できるため、コンソールボックス収納部12の外側に配置するレイアウトも容易になり、コンソールリッド13を開閉しなくてもテーブルを引き出して利用できる。
【００４８】
このようにして、座席に着席した乗員に対して利便性の高いテーブル装置20及びコンソールボックス10を提供できる。特に、例えば商用車の停車中に、携帯型のコンピュータなどを操作する際に有効に利用できる。
【００４９】
また、第１及び第２のテーブル本体21，22を接続するヒンジ機構は、これら第１及び第２のテーブル本体21，22に一体的に設定し、シャフト25及びＥリング26のみを用いて構成できるため、部品点数を削減し、製造コストを低減できる。
【００５０】
なお、上記の実施の形態では、操作体85などを備えて、ロック受部18に係合するロック機構24を用いたが、この構成に限られず、第２のテーブル本体22をコンソールボックス本体11側に安定して支持できる他のロック構造を採ることもできる。例えば、図１９に示すように、ロック受部18として、コンソールボックス本体11のテーブル支持部17に磁石91を配置し、第２のテーブル本体22の下面に、磁石91に吸着される金属部92を配置することもできる。また、例えば、図２０に示すように、コンソールボックス本体11のテーブル支持部17に上下に貫通する孔などの係合部94を形成し、第２のテーブル本体22の下面から一体に突設した弾性変形可能な係合爪95を径脱可能に係合する構成として、部品点数を削減し、製造コストを低減することもできる。
【００５１】
また、上記の各実施の形態において、第１のテーブル本体21及び第２のテーブル本体22のヒンジ機構に、これらテーブル本体21，22の開閉動作に伴い互いに係脱可能に係合する係合機構を設け、これらテーブル本体21，22が互いに同一平面状に開いたテーブルの展開状態と、これらテーブル本体21，22が互いに重ね合わせて閉じられた重合状態とで、これらテーブル本体21，22を互いに係合して位置決め保持することにより、テーブルの開閉時の操作性を向上できる。
【００５２】
また、先端側に位置する第２テーブル本体22の先端部を、脚部によりコンソールボックス本体11に支持することにより、テーブルを開いた形状で安定して保持できる。
【００５３】
次に、図２１ないし図３６を参照して、本発明の他の実施の形態を説明する。
【００５４】
この実施の形態も、図１ないし図１８と同様の構成を備え、すなわち、第１のテーブル本体21と第２のテーブル本体22と組み合わせたテーブルを備え、このテーブルを、コンソールボックス本体11に取り付けた収納体23の収納部34に、折り畳みすなわち第１のテーブル本体21と第２のテーブル本体22とを重ね合わせた重合状態で収納できるとともに、これら第１のテーブル本体21と及び第２のテーブル本体22を収納部34から引き出し、開いた展開状態でコンソールボックス本体11の上側に重ねて配置することにより、テーブルを使用できるようになっている。
【００５５】
さらに、この実施の形態では、第１のテーブル本体21と第２のテーブル本体22とを回動可能に連結する構成について、これら第１のテーブル本体21と第２のテーブル本体22とを相対的に所定の位置すなわち所定の角度で保持するヒンジ機構101を備えている。さらに、テーブルを広げた状態で、テーブルの先端部すなわち第２のテーブル本体22の前端部がコンソールボックス本体11の前端部より突出し、この第２のテーブル本体22の前端部をコンソールボックス本体11に支持する脚装置102が設けられている。さらに、テーブルを広げた状態で、必要に応じて、第１のテーブル本体21と第２のテーブル本体22とが回動しないように連結固定する連結装置103が設けられている。なお、以下、図１ないし図１８と同様の構成については、同一の符号を付して説明を省略する。
【００５６】
まず、ヒンジ機構101について説明する。
【００５７】
このヒンジ機構101は、クリック構造あるいは仮ロック構造とも呼び得るもので、第１のテーブル本体21から第２のテーブル本体22にかけて一体的に形成されている。そして、第１のテーブル本体21は、合成樹脂にて形成された第１上板部63と、この第１上板部63の下面側に組み合わせられる合成樹脂にて形成された第１下板部64とを備え、第１下板部64の前端部の下部の両側に位置し、若干前側に突出した状態で、ヒンジ機構101の軸受部を構成する円筒状をなすいわゆるボス部である第１の軸部111が他の部分と一体に形成されている。そして、これら第１の軸部111には、それぞれ両側方向を軸方向として、軸孔111aが貫通して形成されている。さらに、この第１の軸部111の端面、ここでは互いに対向する軸方向に沿った内側の端面111bには、軸孔111aの近傍の一側例えば第１のテーブル本体21が水平となる状態で軸孔111aの上方に位置して、凸形状である係合突部111cが端面111bから軸方向に沿って内側方に向かって突設されている。そして、この係合突部111cは、上下方向に同一形状すなわち水平面で切断した断面の形状が各位置で同一となる半円柱状に形成され、すなわち、図２３に示すように、前後の面は曲面状の案内面111d，111eとなっている。さらに、これら第１の軸部111には、係合突部111cの外側方に位置して、上方に開口する空間部111fが形成されている。そこで、係合突部111cは、弾性変形可能な板状の部分に支持され、軸方向すなわちスラスト方向に沿って変位可能となっている。
【００５８】
一方、第２のテーブル本体22は、合成樹脂にて形成された第２上板部73と、この第２上板部73の下面側に組み合わせられる合成樹脂にて形成された第２下板部74とを備え、第２下板部74の後端部の下部の両側端より若干内側に位置し、かつ、若干後側に突出した状態で、ヒンジ機構101の軸受部を構成する円筒状をなすいわゆるボス部である第２の軸部121が他の部分と一体に形成されている。そして、これら第２の軸部121には、それぞれ両側方向を軸方向として、軸孔121aが形成されている。さらに、この第２の軸部121の端面、ここでは互いに離反する軸方向に沿った外側の端面121bには、例えば第２のテーブル本体22が水平となる状態で軸孔121aの上下に位置して、凹形状である係合受部121c，121dが端面121bから軸方向に沿って内側方に向かって凹設されている。そして、これら係合受部121c，121dは、軸孔121aを通る同一直線上に位置し、上下方向に同一形状すなわち水平面で切断した断面の形状が各位置で同一となる断面略台形状の溝状に形成されている。
【００５９】
そして、第２のテーブル本体22と第１のテーブル本体21とを前後に組み合わせた状態で、図２４に示すように、両側の第１の軸部111の内側にそれぞれ第２の軸部121が同軸に嵌合する。この状態で、外側から軸孔111a，121aを貫通してシャフト25を挿入し、このシャフト25の先端部近傍に設けた溝部にＥリング26を係合して抜け止めすることにより、第２のテーブル本体22と第１のテーブル本体21とが互いに回動可能に連結される。
【００６０】
さらに、この状態で、第１のテーブル本体21の第１の軸部111の端面111bと、第２のテーブル本体22の第２の軸部121の端面121bとが対向し、第１の軸部111の係合突部111cが、第２の軸部121のいずれかの係合受部121c，121dに係合するか、あるいは端面121bに弾性的に圧接されるようになっている。すなわち、第１のテーブル本体21と及び第２のテーブル本体22を水平に開いたテーブルの展開状態(開状態)では、図２４ないし図２６に示すように、係合突部111cが一方の係合受部121cに係合して、この展開状態をいわば仮ロックして保持する。また、第１のテーブル本体21と及び第２のテーブル本体22を互いに重ね合わせたテーブルの重合状態(閉状態)では、係合突部111cが他方の係合受部121dに係合して、この重合状態をいわば仮ロックして保持する。さらに、これら展開状態と重合状態との中間の状態では、図２７に示すように、第１の軸部111の一部が空間部111f側に変形し、係合突部111cが第２の軸部121の端面121bに弾性的に圧接され、ヒンジ機構101ひいては第１のテーブル本体21と第２のテーブル本体22とのがたつきを防止している。
【００６１】
また、図２８は、射出成形金型の、第１のテーブル本体21の第１下板部64の第１の軸部111を形成する部分の説明図であり、この射出成形金型の金型装置は、金型固定型131、この金型固定型131に型合わせされる金型移動型132、及びこの金型移動型132と交差する方向に移動して軸孔111aを形成する金型スライド駒133を備えている。そして、第１の軸部111の係合突部111c及び空間部111fは、上下方向すなわち金型移動型132の型開き方向に沿った形状に設定されているため、専用のスライド機構などを用いることなく、金型固定型131と金型移動型132とにより形成可能となっている。
【００６２】
同様に、図示しないが、第２のテーブル本体22の第２下板部74の第２の軸部121についても、係合受部121c，121dは上下方向すなわち金型移動型132の型開き方向に沿った形状に設定されているため、専用のスライド機構などを用いることなく、金型固定型131と金型移動型132とにより形成可能となっている。
【００６３】
また、第２のテーブル本体22の前端部をコンソールボックス本体11に支持する脚装置102は、ロック機構24を兼ねるもので、図２９及び図３０に示すように、脚体141を備え、この脚体141は、第２のテーブル本体22の前端部の下部に両側方向を軸方向とする軸部142により回動可能に支持されている。そして、脚体141は、例えば合成樹脂にて形成され、前側である基端側に位置するつまみ部141aと、後側である先端側に位置する爪状の係止部141bとを備えている。さらに、脚装置102は、付勢手段である別体のスプリング体144を備えている。そして、このスプリング体144の付勢力により、脚体141は、係止部141bが第２のテーブル本体22の第２下板部74に接近する方向(図３０に示す矢印XIV方向)に付勢されている。
【００６４】
さらに、図２９に示すように、第２のテーブル本体22の第２下板部74の下面には、脚装置102の脚体141を収納可能な脚体収納部146が形成されている。また、コンソールボックス本体11には、図３０及び図３１に示すように、前端面に、脚体141の係止部141bが係脱可能に係止される係止受部147と、脚体141を介して荷重を受け止める荷重受部148とが形成されている。
【００６５】
さらに、第１のテーブル本体21と第２のテーブル本体22とが回動しないように連結固定する連結装置103は、図２２及び図２９に示すように、連結体として、合成樹脂などにて形成された板状のブラケット板151を備えている。そして、このブラケット板151は、四角形の平板状をなすブラケット本体部151aを備え、このブラケット本体部151aの一端部である後端部には、ブラケット操作部151bが設けられている。さらに、ブラケット本体部151aの両側部からは、ブラケット板151の移動範囲を規制するストッパ部151cが突設されている。
【００６６】
また、第１のテーブル本体21には、第１上板部63と第１下板部64との間に、ブラケット板151を前後にスライド可能に収納するブラケット収納部が構成され、第１下板部64には、ブラケット操作部151bを露出させる四角形状の操作用開口部153が形成されているとともに、第１上板部63には、ブラケット板151を前側へ突出可能とするスリット154が設けられている。
【００６７】
そこで、第１のテーブル本体21と及び第２のテーブル本体22を水平に開いたテーブルの展開状態で、必要に応じて、ブラケット操作部151bを操作して、ブラケット板151を前側にスライドさせることにより、第１のテーブル本体21と及び第２のテーブル本体22とが水平に開いたテーブルの展開状態を固定することができるようになっている。
【００６８】
なお、この実施の形態では、図２２に示すように、第２のテーブル本体22の案内受部77は、第２上板部73の内側に凹設された溝状に形成されている。また、収納体23は、合成樹脂により上面を開口した箱状に一体に形成されている。
【００６９】
次に、この実施の形態のヒンジ機構101及び脚装置102の動作を説明する。
【００７０】
まず、図３１に示すように、テーブル装置20を収納した状態では、第１及び第２のテーブル本体21，22は折り重ねられた重合状態で、垂直状に収納部34に収納されている。この状態で、ヒンジ装置101の係合突部111cが他方の係合受部121dに係合して、この重合状態をいわば仮ロックしてがたつくことなく安定して保持している。
【００７１】
次いで、使用者がテーブル装置20を使用する際は、上部を把持して、第１及び第２のテーブル本体21，22を上側に引き上げ、さらに、第１のテーブル本体21に対して第２のテーブル本体22を前側から上側に回動させる。すると、ヒンジ機構101の係合突部111cは、他方の係合受部121dから外れ、図２７に示すように係合突部111cが第２の軸部121の端面121bに弾性的に圧接された状態を経て、図２６に示すように、ヒンジ機構101の係合突部111cが、一方の係合受部121cに係合する。この状態で、図３２に示すように、第１のテーブル本体21と及び第２のテーブル本体22とが開いた状態に仮ロックされ保持される。同時に、スプリング体144の付勢力により、脚体141の係止部141bが第２のテーブル本体22の下面から離間する方向に移動する。
【００７２】
また、この状態で、必要に応じて、ブラケット操作部151bを操作し、ブラケット板151を前側にスライドさせ、第１のテーブル本体21と及び第２のテーブル本体22とが開いたテーブルの展開状態を固定する。
【００７３】
この状態から、第１のテーブル本体21と及び第２のテーブル本体22とを下方に回動させると、ヒンジ機構101により、第１及び第２のテーブル本体21，22が開いた状態が保持されつつ、これら第１及び第２のテーブル本体21，22が回動し、図３０及び図３３に示すように、第１及び第２のテーブル本体21，22がコンソールボックス本体11のテーブル支持部17上に載置される。同時に、脚装置102の脚体141は、係止部141bがコンソールボックス本体11の係止受部147に係止され、この係止がスプリング体144の付勢力により保持される。この状態で、第２のテーブル本体22の先端部、すなわち、テーブルの先端部が、脚体141によりコンソールボックス本体11の前側に設けた荷重受部148に支持された状態となり、第１及び第２のテーブル本体21，22がコンソールボックス本体11上に安定して支持され、前後方向に長い平面状の載置面61が構成される。
【００７４】
一方、第１及び第２のテーブル本体21，22を収納する際は、脚装置102の脚体141のつまみ部141aを引き上げるように操作し、係止部141bと係止受部147との係止を解除した状態で、上記の工程と逆の工程を行い、円滑に収納できる。
【００７５】
このように、この実施の形態によれば、第１テーブル本体21及び第２テーブル本体22を回動可能に連結し、重ね合わせて収納可能とするとともに、折り畳んだテーブルを引き出し、さらに開いた状態で使用状態まで回動させる折畳式テーブル構造であるテーブル装置20について、これら第１及び第２のテーブル本体21，22を回動可能に連結するヒンジ機構101について、凹凸の係合によりテーブルを開いた状態と閉じた状態とで位置決め保持できる構成を設けたため、開閉操作時に第１及び第２のテーブル本体21，22が不意に回動することを抑制し、例えば、閉じたテーブルを開く操作中にテーブルが閉じた状態に戻ってしまうことや、開いたテーブルを閉じて収納する操作中に、テーブルが開いた状態に戻ってしまうことを防止し、開閉時の操作性を向上できる。
【００７６】
また、テーブルを開いた状態と閉じた状態とのみならず、開閉操作の過程においても、第１テーブル本体21に設けた凸形状である係合突部111cが第２テーブル本体22側の部材に弾性的に圧接され、さらに、２カ所のヒンジ機構101は互いに反対方向に付勢するとともに、開閉操作の過程において大きく撓んで付勢力を作用させる。そこで、テーブルの開閉操作時に、ヒンジ機構101のがたつき、すなわち、第１テーブル本体21と第２テーブル本体22とのがたつきを抑制でき、操作感などの品質を向上できる。
【００７７】
さらに、凸形状である係合突部111c及び凹形状である係合受部121c，121dは、それぞれヒンジ機構101の軸部111，121に一体に形成され、凸形状である係合突部111cなども金型131，132を互いに型開きする方向に対してアンダーカットとならないため、金具などの別体の部品を用いず、かつ、金型装置にアンダーカット処理などの特殊な専用の構造を必要とすることなく、位置決め構造をヒンジ装置101に一体的に容易に形成できる。そこで、例えばスプリングやこのスプリングに押圧されて係合する金具などの別体の部品などを用いる構成に比べ、部品点数の増加による部品費、取付工数、質量の増加などを生じることがなく、部品点数を削減して製造コストを低減できるとともに、軽量化を実現できる。
【００７８】
さらに、係合突部111c及び係合受部121c，121dは、それぞれヒンジ機構101を構成する軸部111，121が互いに突き合わされる端面111b，121bに設けたため、構造を簡略化して製造コストが低減されるのみならず、これら係合突部111c及び係合受部121c，121dが外部に露出せず、外観を向上できる。
【００７９】
そして、ヒンジ機構101によりテーブルを開いた形状で保持でき、さらに、脚装置102を備え、テーブルの先端部を脚体141によりコンソールボックス本体11に当接さらには係合して支持できるため、コンソールボックス本体11の形状や大きさにかかわらず、テーブルを開いた形状で安定して保持でき、例えば、開いた状態のテーブルがコンソールボックス本体11から前側に大きく突出する構成でも、テーブルを開いた形状で安定して保持できる。
【００８０】
また、上記の実施の形態では、第２のテーブル本体22の係合受部121c，121dは、上下に垂直状に形成したため、テーブルを折り畳んで垂直状に収納する状態と、水平状に広げる状態とで節度感を付与して保持できるが、この構成に限られず、テーブルの形状などに応じて、適宜の位置に凹形状である係合受部を形成し、所望の位置で節度感を発生させることもできる。
【００８１】
また、上記の実施の形態では、係合突部111cは、半円柱状とし、前後の面を曲面状の案内面111d，111eとしたが、この構成に限られず、係合突部111cの前後の案内面111d，111eの形状あるいは係合受部121c，121dの形状を設定することにより、節度感の発生範囲や、節度感の強度の調整を容易にできる。
【００８２】
例えば、図３４に示すように、係合突部111c及び係合受部121c，121dの形状を台形状とし、あるいは、図３５に示すように、三角状として、前後の案内面111d，111eを直線状とし、半円柱状の係合突部111cに比べて節度感を明確に示すこともできる。また、図３６に示すように、前後の案内面111d，111eの端面111bに対する角度が異なる異形状の係合突部111cを用い、テーブルを開く動作の際と閉じる動作の際とで節度感すなわち形状を保持する強度を異ならせることもできる。
【００８３】
また、上記の実施の形態では、凸形状である係合突部111cを第１テーブル本体21側に設け、凹形状である係合受部121c，121dを第２テーブル本体22側に設けたが、この構成に限られず、凸形状である係合突部111cを第２テーブル本体22側に設け、凹形状である係合受部121c，121dを第１テーブル本体21側に設けることもでき、あるいは第１テーブル本体21側と第２テーブル本体22側とにそれぞれ凸形状である係合突部111cと凹形状である係合受部121c，121dとを設けることもできる。また、空間部111fは、係合突部111cの背面側に設けたが、この構成に限られず、係合受部121c，121dの背面側に設けることもできる。
【００８４】
また、上記の各実施の形態では、第１及び第２のテーブル本体21，22は、コンソールボックス本体11に対して車両の前側に引き出すように設定したが、この構成に限られず、後側あるいは左右いずれかの側方に引き出すように設定することもできる。
【産業上の利用可能性】
【００８５】
本発明は、例えば、車両の座席の側方のコンソールボックスに適用できる。
【図面の簡単な説明】
【００８６】
【図１】本発明のテーブル装置の一実施の形態を示す分解斜視図である。
【図２】同上テーブル装置を備えたコンソールボックスのテーブル装置を収納した状態の平面図である。
【図３】同上テーブル装置を備えたコンソールボックスのテーブル装置を展開した状態の平面図である。
【図４】同上テーブル装置の動作を示す図３のＩ−Ｉ断面相当位置の説明図である。
【図５】同上テーブル装置の動作を示す図３のＩ−Ｉ断面相当位置の説明図である。
【図６】同上テーブル装置の動作を示す図３のＩ−Ｉ断面相当位置の説明図である。
【図７】同上テーブル装置の動作を示す図３のＩ−Ｉ断面相当位置の説明図である。
【図８】同上テーブル装置の動作を示す図３のII−II断面相当位置の説明図である。
【図９】同上テーブル装置を示す図３のIII−III断面相当位置の説明図である。
【図１０】同上テーブル装置のブラケットを示す側面図である。
【図１１】同上テーブル装置のブラケットを示す図１０のIV−IV断面図である。
【図１２】同上テーブル装置の第１及び第２のテーブル本体を示す展開した状態の平面図である。
【図１３】同上テーブル装置の第１及び第２のテーブル本体を示す図１２のＶ−Ｖ断面相当位置の説明図である。
【図１４】同上テーブル装置の第１及び第２のテーブル本体を示す図１２のVI−VI断面相当位置の説明図である。
【図１５】同上テーブル装置の第１及び第２のテーブル本体を示す図１２のVII−VII断面相当位置の説明図である。
【図１６】同上テーブル装置の第２のテーブル本体を示す図１２のVIII−VIII断面相当位置の説明図である。
【図１７】同上テーブル装置の第１及び第２のテーブル本体を示す図１２のVIII−VIII断面相当位置の説明図である。
【図１８】同上テーブル装置のロック機構を示す斜視図である。
【図１９】本発明のテーブル装置の他の実施の形態を示す一部の断面図である。
【図２０】本発明のテーブル装置のさらに他の実施の形態を示す一部の断面図である。
【図２１】本発明のテーブル装置のさらに実施の形態を示すヒンジ機構を拡大して示す一部の分解斜視図である。
【図２２】同上テーブル装置の一部の分解斜視図である。
【図２３】同上テーブル装置の図２１のＸ方向から見た斜視図である。
【図２４】同上テーブル装置のヒンジ機構を拡大して示す斜視図である。
【図２５】同上テーブル装置の図２４のXI方向から見た側面図である。
【図２６】同上テーブル装置のヒンジ機構の係合突部と係合受部とが係合した状態を示す図２５のXII−XII断面相当位置の説明図である。
【図２７】同上テーブル装置のヒンジ機構の係合突部と係合受部とが係合していない状態を示す説明図である。
【図２８】同上テーブル装置のヒンジ機構の一部を形成する金型を示す図２５のXIII−XIII断面相当位置の説明図である。
【図２９】同上テーブル装置のテーブル装置の開閉の過程を示す一部の斜視図である。
【図３０】同上テーブル装置のテーブル装置の開いた状態を示す断面図である。
【図３１】同上テーブル装置のテーブル装置を収納した状態を示す斜視図である。
【図３２】同上テーブル装置のテーブル装置の開閉の過程を示す斜視図である。
【図３３】同上テーブル装置のテーブル装置を開いた状態を示す斜視図である。
【図３４】同上テーブル装置のヒンジ機構の係合突部と係合受部との他の実施の形態を示す一部の断面図である。
【図３５】同上テーブル装置のヒンジ機構の係合突部と係合受部との他のさらに実施の形態を示す一部の断面図である。
【図３６】同上テーブル装置のヒンジ機構の係合突部と係合受部との他のさらに実施の形態を示す一部の断面図である。
【符号の説明】
【００８７】
10    コンソールボックス
11    被設置部としてのコンソールボックス本体
20    テーブル装置
21    第１のテーブル本体
22    第２のテーブル本体
23    収納体
24    ロック機構
25    シャフト
34    収納部
51    第１の案内部
52    第２の案内部
56    回動保持部
61    載置面
68    スライド軸
77    案内受部
101   ヒンジ機構
111   第１の軸部
111a  軸孔
111b  端面
111c  係合突部
111f  空間部
121   第２の軸部
121a  軸孔
121b  端面
121c，121d  係合受部
【図１】
2008132956.tif 000003
【図２】
2008132956.tif 000004
【図３】
2008132956.tif 000005
【図４】
2008132956.tif 000006
【図５】
2008132956.tif 000007
【図６】
2008132956.tif 000008
【図７】
2008132956.tif 000009
【図８】
2008132956.tif 000010
【図９】
2008132956.tif 000011
【図１０】
2008132956.tif 000012
【図１１】
2008132956.tif 000013
【図１２】
2008132956.tif 000014
【図１３】
2008132956.tif 000015
【図１４】
2008132956.tif 000016
【図１５】
2008132956.tif 000017
【図１６】
2008132956.tif 000018
【図１７】
2008132956.tif 000019
【図１８】
2008132956.tif 000020
【図１９】
2008132956.tif 000021
【図２０】
2008132956.tif 000022
【図２１】
2008132956.tif 000023
【図２２】
2008132956.tif 000024
【図２３】
2008132956.tif 000025
【図２４】
2008132956.tif 000026
【図２５】
2008132956.tif 000027
【図２６】
2008132956.tif 000028
【図２７】
2008132956.tif 000029
【図２８】
2008132956.tif 000030
【図２９】
2008132956.tif 000031
【図３０】
2008132956.tif 000032
【図３１】
2008132956.tif 000033
【図３２】
2008132956.tif 000034
【図３３】
2008132956.tif 000035
【図３４】
2008132956.tif 000036
【図３５】
2008132956.tif 000037
【図３６】
2008132956.tif 000038